(57)【要約】  薬剤（Ｄ）の成分を含有する気体を放出する複数の通気孔（１１，１１）を有する筺体（９）と、筺体（９）の内部で薬剤（Ｄ）を保持する薬剤保持部（２）と、気体を送気する送気手段（３）と、複数の通気孔（１１，１１）のうち特定の通気孔（１１）に向かって気体を送気するように、送気手段（３）の送気方向を切り替える送気方向切替手段（５）と、を備えることを特徴とする薬剤成分放出装置（１）。
2017073380.tif 000002
【特許請求の範囲】
【請求項１】
薬剤の成分を含有する気体を放出する複数の通気孔を有する筺体と、
前記筺体の内部で前記薬剤を保持する薬剤保持部と、
前記気体を送気する送気手段と、
複数の前記通気孔のうち特定の通気孔に向かって前記気体を送気するように、前記送気手段の送気方向を切り替える送気方向切替手段と、
を備えることを特徴とする薬剤成分放出装置。
【請求項２】
時刻を計測して前記送気方向切替手段に時刻情報を出力するタイマーをさらに備え、
前記送気方向切替手段は、前記時刻情報に予め関連付けられた特定の前記通気孔に前記気体が送気されるように、前記送気手段の送気方向を切り替える、
ことを特徴とする請求項１に記載の薬剤成分放出装置。
【請求項３】
周辺環境の明るさの度合いを感知して前記送気方向切替手段に明暗情報を出力する明暗センサをさらに備え、
前記送気方向切替手段は、前記明暗情報に予め関連付けられた特定の前記通気孔に前記気体が送気されるように、前記送気手段の送気方向を切り替える、
ことを特徴とする請求項１に記載の薬剤成分放出装置。
【請求項４】
前記薬剤は、蚊に対する忌避効果又は殺虫効果を有する成分を含み、
複数の前記通気孔は、前記筺体の上側に設けられた上側通気孔と、前記筺体の下側に設けられた下側通気孔と、を有し、
前記送気方向切替手段は、日中は前記下側通気孔に向けて前記気体を送気し、夜間は前記上側通気孔に向けて前記気体を送気するように、前記送気手段の送気方向を切り替える、
ことを特徴とする請求項１から請求項３のいずれか１項に記載の薬剤成分放出装置。
【請求項５】
前記送気手段は電動モータによって回転するファンを備え、
前記送気方向切替手段は、前記ファンの回転方向を反転させることにより、前記送気手段の送気方向を切り替える、
ことを特徴とする請求項１に記載の薬剤成分放出装置。
【請求項６】
複数の前記通気孔と前記送気手段との連通状態と非連通状態とをそれぞれ切り替える連通状態切替手段をさらに備え、
前記送気方向切替手段は、前記連通状態切替手段によって特定の前記通気孔と前記送気手段とを連通状態とし、その他の通気孔と前記送気手段とを非連通状態とすることで、前記送気手段の送気方向を切り替える、
ことを特徴とする請求項１に記載の薬剤成分放出装置。
【請求項７】
屋外に配置された被固定対象物に前記筺体を固定する固定手段をさらに備える、
ことを特徴とする請求項１に記載の薬剤成分放出装置。
【請求項８】
前記筺体に取り付けられた照明手段をさらに有する、
ことを特徴とする請求項１に記載の薬剤成分放出装置。
【請求項９】
前記筺体に取り付けられた太陽光発電手段と、前記太陽光発電手段で発電された電力を蓄電する蓄電手段と、をさらに備える、
ことを特徴とする請求項１に記載の薬剤成分放出装置。
【請求項１０】
前記筐体内には、ファンと、前記ファンを回転させる電動モータと、前記薬剤保持部と、を備えたユニットケースが着脱可能に配置されていることを特徴とする請求項１に記載の薬剤成分放出装置。
【発明の詳細な説明】
【技術分野】
【０００１】
本発明は、屋外に設置する薬剤成分放出装置に関する。
【背景技術】
【０００２】
虫刺されを防ぐための装置として、特許文献１に記載の薬剤成分放出装置が知られている。このような薬剤成分放出装置を携帯することで、装置を携帯する人間は、虫刺されを防ぐことができる。
【先行技術文献】
【特許文献】
【０００３】
【特許文献１】特開２００３−９７４７号公報
【発明の概要】
【発明が解決しようとする課題】
【０００４】
しかしながら、特許文献１に記載の薬剤成分放出装置においては、薬剤の成分を含有した気体を送る方向が固定されており、環境条件等の変化に応じて気体を送る方向を調整することはできない。デング熱等の流行が懸念される今、変化する環境条件等に対応可能な、虫刺されを防ぐことができる装置が求められている。【０００５】
このような観点から、本発明は、屋外に設置でき、環境条件等に合わせて薬剤の成分を含有した気体を送る方向を変更することができる薬剤成分放出装置を提供することを課題とする。
【課題を解決するための手段】
【０００６】
このような課題を解決するため、本発明は、薬剤の成分を含有する気体を放出する複数の通気孔を有する筺体と、前記筺体の内部で前記薬剤を保持する薬剤保持部と、前記気体を送気する送気手段と、複数の前記通気孔のうち特定の通気孔に向かって前記気体を送気するように、前記送気手段の送気方向を切り替える送気方向切替手段と、を備える。【０００７】
このような構成によれば、送気方向切替手段によって、薬剤成分放出装置が薬剤の成分を含有した気体を送気する方向を切り替えることができる。従って、環境条件等に変化があったとき、送気方向を切り替えることで、薬剤の成分を含有した気体を効果的に送気することができる。薬剤として、例えば虫に対する忌避剤を用いれば、虫刺されを効果的に防ぐことができる。【０００８】
また、時刻を計測して前記送気方向切替手段に時刻情報を出力するタイマーをさらに備え、前記送気方向切替手段は、前記時刻情報に予め関連付けられた特定の前記通気孔に前記気体が送気されるように、前記送気手段の送気方向を切り替える構成としてもよい。【０００９】
このような構成によれば、設定された時刻になると、送気方向切替手段が、薬剤の成分を含有した気体を送気する方向を、当該時刻に予め関連付けられた特定の方向に切り替える。そのため、その時刻において好ましい方向に薬剤の成分を含有した気体を集中的に送気することができる。【００１０】
また、周辺環境の明るさの度合いを感知して前記送気方向切替手段に明暗情報を出力する明暗センサをさらに備え、前記送気方向切替手段は、前記明暗情報に予め関連付けられた特定の前記通気孔に前記気体が送気されるように、前記送気手段の送気方向を切り替える構成としてもよい。【００１１】
このような構成によれば、設定された周辺環境の明るさになると、送気方向切替手段が、薬剤の成分を含有した気体を送気する方向を、当該周辺環境の明るさに予め関連付けられた特定の方向に切り替える。そのため、その明るさにおいて好ましい方向に薬剤の成分を含有した気体を集中的に送気することができる。【００１２】
また、前記薬剤は、蚊に対する忌避効果又は殺虫効果を有する成分を含み、複数の前記通気孔は、前記筺体の上側に設けられた上部通気孔と、前記筺体の下側に設けられた下部通気孔と、を有し、前記送気方向切替手段は、日中は前記下部通気孔に向けて前記気体を送気し、夜間は前記上部通気孔に向けて前記気体を送気するように、前記送気手段の送気方向を切り替える構成としてもよい。【００１３】
このような構成によれば、日中には、主に低空を飛翔する昼行性の蚊であるヒトスジシマカ等を忌避又は殺虫でき、夜間には、高い位置を飛翔することが多い夜行性の蚊であるアカイエカ等を忌避又は殺虫できる。蚊の行動特性に合わせて、送気方向切替手段が、薬剤の成分を含有した気体を送気する方向を切り替えるので、効率よく蚊の忌避又は殺虫ができる。【００１４】
また、前記送気手段は電動モータによって回転するファンを備え、前記送気方向切替手段は、前記ファンの回転方向を反転させることにより、前記送気手段の送気方向を切り替える構成としてもよい。【００１５】
このような構成によれば、送気方向切替手段は、ファンの回転方向を反転させることにより、送気手段の送気方向を切り替えることになるので、送気方向切替手段を簡略化でき、薬剤成分放出装置の小型化やコストダウンが可能になる。【００１６】
また、複数の前記通気孔と前記送気手段との連通状態と非連通状態とをそれぞれ切り替える連通状態切替手段をさらに備え、前記送気方向切替手段は、前記連通状態切替手段によって特定の前記通気孔と前記送気手段とを連通状態とし、その他の通気孔と前記送気手段とを非連通状態とすることで、前記送気手段の送気方向を切り替える構成としてもよい。【００１７】
このような構成によれば、複数の前記通気孔と前記送気手段との連通状態と非連通状態とをそれぞれ切り替えるので、ファンの回転方向を反転させる送気方向切替手段のように送気方向を反対方向へのみ切り替えることができるだけではなく、他の方向へ向けても送気方向を切り替えることができる。そのため、より細かい送気方向の切替に対応できる。【００１８】
また、屋外に配置された被固定対象物に前記筺体を固定する固定手段をさらに備える構成としてもよい。【００１９】
このような構成によれば、固定手段によって筺体を被固定対象物に固定することができる。そのため、薬剤成分放出装置を配置したい場所であっても薬剤成分放出装置を組み込んだ工作物を設置するスペースがない場合に、薬剤成分放出装置を、例えば、既存の街灯の支柱や樹木の幹などに固定して配置することができる。また、薬剤成分放出装置を既存の街灯の支柱や樹木の幹に固定することができるので、薬剤成分放出装置を設置するための基礎や支柱を新たに用意する必要が無くなる。従って、迅速に薬剤成分放出装置を設置でき、設置のための費用も抑えることができる。さらに、薬剤成分放出装置を稼働させない時期には（例えば、蚊対策では冬期など）、薬剤成分放出装置を回収できるので、薬剤成分放出装置の破損や盗難、いたずら、風雨等による劣化を防ぐこともできる。【００２０】
また、前記筺体に取り付けられた照明手段をさらに有する構成としてもよい。【００２１】
このような構成によれば、照明手段が点灯することにより、薬剤成分放出装置の設置位置が認識しやすくなり、人を薬剤成分放出装置の近くに集めることができる。そのため、薬剤成分放出装置の近くに集まった人の虫刺されを防ぐことができる。【００２２】
また、前記筺体に取り付けられた太陽光発電手段と、前記太陽光発電手段で発電された電力を蓄電する蓄電手段と、をさらに備える構成としてもよい。【００２３】
このような構成によれば、薬剤成分放出装置は太陽光発電手段と蓄電手段とを備えるので、薬剤成分放出装置の外部の電気配線が省略可能になる。そのため、薬剤成分放出装置の設置のための工期の短縮や施工コストの低減ができる。また、太陽光発電による電力の利用によって、ランニングコストを削減できる。照明手段の電力も太陽光発電で賄うことができれば、さらにランニングコストを削減できる。【００２４】
また、前記筐体内には、ファンと、前記ファンを回転させる電動モータと、前記薬剤保持部と、を備えたユニットケースが着脱可能に配置される構成としてもよい。【００２５】
このような構成によれば、筐体は、ファン、電動モータ及び薬剤を備えたユニットケースを、着脱可能に配置していることで、筺体内の構造を簡素化することができる。
【発明の効果】
【００２６】
本発明の薬剤成分放出装置によれば、屋外に薬剤成分放出装置を設置することができ、環境条件等に変化があったとき、より多くの人の虫刺されを防ぐべく、薬剤の成分を含有した気体を送気する方向を変更することができる。
【図面の簡単な説明】
【００２７】
【図１】本発明の第一実施形態に係る薬剤成分放出装置を示した斜視図である。
【図２】本発明の第一実施形態に係る薬剤成分放出装置の内部構造を示す図であって、（ａ）は側面断面図、（ｂ）は（ａ）のＡ−Ａ断面図である。
【図３】本発明の第二実施形態に係る薬剤成分放出装置を示す図であって、（ａ）は正面図、（ｂ）は背面図である。
【図４】本発明の第二実施形態に係る薬剤成分放出装置の内部構造を示した側面断面図である。
【図５】本発明の第三実施形態に係る薬剤成分放出装置を示す正面図である。
【図６】本発明の第三実施形態に係る薬剤成分放出装置を示す要部拡大側面断面図である。
【図７】本発明の第三実施形態に係る薬剤成分放出装置を示す要部拡大分解斜視図である。
【図８】本発明の第四実施形態に係る薬剤成分放出装置を示す正面図である。
【図９】本発明の第四実施形態に係る薬剤成分放出装置を示す要部拡大側面断面図である。
【図１０】本発明の第四実施形態に係る薬剤成分放出装置を示す要部拡大分解斜視図である。
【発明を実施するための形態】
【００２８】
以下、本発明の実施形態について、図面を参照して詳細に説明する。図１に示すように、第一実施形態では、薬剤成分放出装置１が、屋外の公園等の緑地に植えられた樹木の幹に設置される場合を例示する。なお、図１に示す薬剤成分放出装置１において、ソーラーモジュール７及び照明手段８が配置されている側を前面側（前側）、パッキン１２が配置されている側を裏面側（裏側）として説明する。
【００２９】
（第一実施形態）
図１及び図２の（ａ）・（ｂ）に示すように、薬剤成分放出装置１は、複数の通気孔１１，１１，…を有する筺体９と、筺体９の内部で薬剤Ｄを保持する薬剤保持部２と、薬剤Ｄを含む気体を送気する送気手段としてのファン３と、ファン３の送気方向を切り替える連通状態切替手段としてのダンパ５ａと、を主に備えている。
【００３０】
図１に示すように、筺体９は、各種装置を収容する防水性の箱状部材であり、略円筒形状に形成されている。筺体９の表面（外面）には、複数の通気孔１１，１１，…と、明暗センサ５ｃと、ソーラーモジュール７（太陽光発電手段）と、照明手段８と、固定手段１０と、パッキン１２と、が設けられている。
【００３１】
複数の通気孔１１，１１，…は、筺体９の前面の上部に設けられた上部通気孔１１ａと、同じく筺体９の前面の下部に設けられた下部通気孔１１ｃと、筺体９の両側面に設けられた一対の中央通気孔１１ｂ，１１ｄ（１１ｄは図２の（ｂ）に図示）と、を備えている。上部通気孔１１ａ及び下部通気孔１１ｃは、筺体９に形成された薬剤取替口１３を閉塞する蓋部材１３ａに設けられている。薬剤取替口１３は、筺体９の前面の上部と下部に設けられている。上部通気孔１１ａ又は下部通気孔１１ｃを通して、ファン３で生じた風で薬剤Ｄを含んだ気体を薬剤成分放出装置１の外部へ送り出す。複数の通気孔１１には、雨水等の侵入を避けるために、開口の上部には、断面扇状の庇２０が取り付けられている。なお、複数の通気孔１１の数は限定されていない。
【００３２】
ソーラーモジュール７（太陽光発電手段）は、太陽光のエネルギーを電力に変換する装置である。本実施形態では、ソーラーモジュール７は、上部通気孔１１ａと下部通気孔１１ｃとの間に設置されている。ソーラーモジュール７は、後記するバッテリ６に接続されている。
照明手段８は、夜間に点灯して薬剤成分放出装置１の周囲を照明する装置である。本実施形態では、照明手段８は、上部通気孔１１ａの上方に設置されている。照明手段８は、後記するバッテリ６に接続されている。
明暗センサ５ｃ、固定手段１０及びパッキン１２については後で詳しく説明する。
【００３３】
図２の（ａ）に示すように、筺体９の内部には、薬剤保持部２と、ファン３（送気手段）と、電動モータ４と、送気方向切替手段５と、ダンパ５ａ（連通状態切替手段）と、タイマー５ｂと、明暗センサ５ｃと、バッテリ６（蓄電手段）と、ソーラーモジュール７（太陽光発電手段）と、照明手段８と、ダクト１４と、が内蔵されている。
【００３４】
筺体９の内部において、上部通気孔１１ａと中央通気孔１１ｂ及び下部通気孔１１ｃと中央通気孔１１ｄとは、通気路としてのダクト１４によって連通されている。ダクト１４は、略水平方向に延びて両端部が中央通気孔１１ｂ，１１ｄにそれぞれ連通する水平ダクト１４ｂ，１４ｄと、水平ダクト１４ｂ，１４ｄが合流する連結部１５ａと、連結部１５ａからファン３を通過する水平ダクト１４ｅと、水平ダクト１４ｅからファン３を通過した先で上下に分岐する分岐部１５ｂと、分岐部１５ｂから上方に延びて先端部が上部通気孔１１ａに連通する上部ダクト１４ａと、分岐部１５ｂから下方に延びて先端部が下部通気孔１１ｃに連通する下部ダクト１４ｃと、を備えている。
【００３５】
薬剤保持部２は、薬剤Ｄを保持するために設けられている、横断面Ｌ字状の部材である。薬剤保持部２は、上部通気孔１１ａの裏面及び下部通気孔１１ｃの裏面の二箇所に設けられている。薬剤保持部２は、薬剤保持部２と蓋部材１３ａの裏面との間に薬剤Ｄを挟み込み、薬剤Ｄの成分を含有する気体を放出させる。薬剤保持部２は、そのＬ字状の立上り部分に薬剤加熱部２ａを有する。薬剤加熱部２ａは、薬剤Ｄを保持すると同時に、薬剤加熱部２ａが発熱することで、薬剤Ｄの成分の揮散を促進させる。本実施形態では、薬剤保持部２は二箇所であるが、薬剤保持部２は、二箇所に限定するものではない。また、本実施形態では、薬剤Ｄは、蚊に対する忌避効果又は殺虫効果を有する成分を含んだものを想定しているが、これに限定するものではない。
【００３６】
ファン３（送気手段）は、中央通気孔１１ｂ，１１ｄから上部通気孔１１ａ又は下部通気孔１１ｃに向かって気体を送気する装置である。ファン３は、分岐部１５ｂと対向する水平ダクト１４ｂ，１４ｄの中間線の延長線上かつ水平ダクト１４ｅの中央部に設置されている。また、ファン３が発生させる風によって、薬剤Ｄの成分の揮散が促進される。本実施形態ではファン３は一つであるが、揮散させた薬剤Ｄを含んだ気体をより遠くまで到達させるために、或いは、薬剤Ｄの成分の揮散をより促進させるために、複数のファン３を設けてもよい。
【００３７】
電動モータ４は、ファン３を回転させるために設けられている。電動モータ４は、直接ファン３に連結されている。歯車やベルト等を介してファン３に連結されていてもよい。本実施形態では電動モータ４は一つであるが、ファン３の個数に応じて、或いは、ファン３で発生させる風をより強くするために、複数の電動モータ４を設けてもよい。
【００３８】
送気方向切替手段５は、ファン３で発生させた風の送気方向を切り替えるために設けられている。送気方向切替手段５には、ダンパ５ａ（連通状態切替手段）、タイマー５ｂ及び明暗センサ５ｃが接続されている。送気方向切替手段５は、いわゆる制御用のコンピュータで構成されており、図示しないＲＯＭ等の記憶装置に記憶されたプログラムをＣＰＵが読みだして実行することで実現される。また、記憶装置には、ダンパ５ａの回動方向と時刻情報又は明暗情報とが関連付けられた相関テーブルが予め記憶されている。送気方向切替手段５は、タイマー５ｂ又は明暗センサ５ｃからの情報に基づいて、相関テーブルを参照してダンパ５ａの回動方向を判定し、現在のダンパ５ａの回動方向と判定した方向とが異なる場合に、ダンパ５ａの回動方向を切り替えるように制御する。
【００３９】
本実施形態では、送気方向切替手段５の記憶装置の相関テーブルは、日中は下部通気孔１１ｃに向けて気体を送気し、夜間は上部通気孔１１ａに向けて気体を送気するようにダンパ５ａの回動方向を設定されている。送気方向切替手段５は、日中であるか夜間であるかの判定を、時刻又は周辺環境の明るさの度合いに基づいて行う。なお、送気方向切替手段５の記憶装置の相関テーブルの設定は、この設定に限定するものではない。
【００４０】
ダンパ５ａ（連通状態切替手段）は、ダクト１４の分岐部１５ｂに回動可能に設置されている。ダンパ５ａは、図示しない電動モータによって回動する。ダンパ５ａは、例えば上部通気孔１１ａに送気する場合には、上部ダクト１４ａを開放し、下部ダクト１４ｃを閉鎖する。
【００４１】
タイマー５ｂは、時刻情報を送気方向切替手段５に出力する。
明暗センサ５ｃは、薬剤成分放出装置１の周辺環境の明るさの度合いを感知し、その明暗情報を送気方向切替手段５に出力する。
なお、タイマー５ｂ又は明暗センサ５ｃのいずれか一方を備える構成であってもよい。
【００４２】
バッテリ６（蓄電手段）は、ソーラーモジュール７で発電した電力を蓄電する装置である。バッテリ６は、電動モータ４、送気方向切替手段５、ダンパ５ａを回動させる図示しない電動モータ及び照明手段８に電力を供給する。
【００４３】
固定手段１０は、筺体９を被固定対象物である樹木の幹や工作物の支柱等に固定するためのものである。固定手段１０は、筺体９の上部及び下部にそれぞれ１ヶ所ずつ設けられていて、その形状はＵ字状である。固定手段１０のＵ字状の両端部は筺体９と接続している。固定手段１０のＵ字状の中心部は、被固定対象物である樹木の幹に取付けるために両側に分離することができる。なお、固定手段１０の位置及び個数は、薬剤成分放出装置１の形状や重量等により適宜決定するものであり、本実施形態に示す位置及び個数に限定されるものではない。また、固定手段１０は、いたずら防止や防犯を考慮して、金属製であることが望ましい。固定手段１０の外周には、樹木の幹や工作物の支柱等と強固に固定するために、ゴム等の摩擦係数の高い素材を使用するのが好適である。
【００４４】
パッキン１２は、筺体９の円筒状部分と被固定対象物である樹木の幹や工作物の支柱等との隙間をなるべく小さくし、密に固定、連結するためのものである。パッキン１２は、ゴム等の摩擦係数の高い素材でできている。パッキン１２の平面視外周縁は、図１に示すように直線状に成形された前後一対の直線縁部３０，３０と、円弧状（本実施形態では半円形状）に成形された左右一対の凹状円弧縁部３１，３１とを備えている。パッキン１２は、筺体９と上下の固定手段１０，１０との２箇所の取合部の間に設置されている。
【００４５】
薬剤取替口１３は、薬剤Ｄを交換するために筺体９に設けられた略長方形状の開口部である。薬剤取替口１３は、筺体９の前面の上部及び下部に設けられている。薬剤取替口１３は、蓋部材１３ａによって閉塞されている。蓋部材１３ａの筺体９内部側には、薬剤Ｄを保持する薬剤保持部２が設けられている。薬剤取替口１３から、蓋部材１３ａをはずして裏返すと、薬剤Ｄが交換できる。本実施形態では、薬剤取替口１３は、二箇所であるが、薬剤取替口１３の数は二箇所に限定されるものではない。
【００４６】
ダクト１４は、中央通気孔１１ｂ，１１ｄから取り入れた外気を、ファン３の風によって上部通気孔１１ａ，下部通気孔１１ｃに送るための通路である。ダクト１４は、その断面が円形状又は長方形状である。本実施形態では、ダクト１４は、送気側には上部通気孔１１ａと下部通気孔１１ｃとに向けて２分岐しているが、分岐の数は２つに限定されるものではない。また、本実施形態では、ダクト１４は、給気側には中央通気孔１１ｂと中央通気孔１１ｄとに向けて左右に２分岐しているが、分岐の数は２つに限定されるものではない。
【００４７】
本実施形態に係る薬剤成分放出装置１によれば、送気方向切替手段５によって、薬剤成分放出装置１が薬剤Ｄの成分を含有した気体を送気する方向を切り替えることができる。従って、環境条件等に変化があったとき、送気方向を切り替えることで、薬剤Ｄの成分を含有した気体を効果的に送気することができる。本実施形態では、薬剤Ｄとして、蚊に対する忌避効果又は殺虫効果を有する成分を含むものを用いているので、蚊による虫刺されを効果的に防ぐことができる。他の虫に対する忌避効果又は殺虫効果を有する成分を含む薬剤Ｄを用いれば、他の虫による虫刺されを効果的に防ぐことができる。
【００４８】
また、本実施形態に係る薬剤成分放出装置１では、タイマー５ｂに基づいてダンパ５ａの回動方向を切り替える場合には、設定された時刻になるとタイマー５ｂによって、送気方向切替手段５が、薬剤Ｄの成分を含有した気体を送気する方向を、当該時刻に予め関連付けられた特定の方向（日中は下部通気孔１１ｃで夜間は上部通気孔１１ａ）に切り替える。そのため、その時刻において好ましい方向に薬剤Ｄの成分を含有した気体を集中的に送気することができ、効率的に蚊の忌避又は殺虫ができる。
【００４９】
さらに、本実施形態に係る薬剤成分放出装置１では、明暗センサ５ｃに基づいてダンパ５ａの回動方向を切り替える場合には、設定された周辺環境の明るさになると明暗センサ５ｃによって、送気方向切替手段５が、薬剤Ｄの成分を含有した気体を送気する方向を、当該周辺環境の明るさに予め関連付けられた特定の方向（日中は下部通気孔１１ｃで夜間は上部通気孔１１ａ）に切り替える。そのため、その明るさにおいて好ましい方向に薬剤Ｄの成分を含有した気体を集中的に送気することができ、効率的に蚊の忌避又は殺虫ができる。
【００５０】
本実施形態に係る薬剤成分放出装置１において、日中には、下部通気孔１１ｃから送気しているので、主に低空を飛翔する昼行性の蚊であるヒトスジシマカ等を忌避又は殺虫できる。また、夜間には、上部通気孔１１ａから送気するように設定しているので、高い位置を飛翔することが多い夜行性の蚊であるアカイエカ等を忌避又は殺虫できる。蚊の行動特性に合わせて、送気方向切替手段５が、薬剤Ｄの成分を含有した気体を送気する方向を切り替えるので、効率よく蚊の忌避又は殺虫ができる。ヒトスジシマカに刺されなければ、デング熱に罹患することを回避できる。
【００５１】
また、本実施形態に係る薬剤成分放出装置１では、複数の通気孔１１，１１，…とファン３との連通状態と非連通状態とをダンパ５ａ（連通状態切替手段）によってそれぞれ切り替えるので、後述する第二実施形態で使用するファン３の回転方向を反転させる送気方向切替手段５のように送気方向を反対方向へのみ切り替えることができるだけではなく、他の方向へ向けても送気方向を切り替えることができる。そのため、複数の通気孔１１の数およびダンパ５ａの数を増やせば、より細かい送気方向の切替に対応できる。
【００５２】
また、本実施形態に係る薬剤成分放出装置１では、固定手段１０によって筺体９を被固定対象物（例えば、樹木の幹や工作物の支柱等）に固定することができる。そのため、薬剤成分放出装置１を配置したい場所であっても薬剤成分放出装置１を組み込んだ工作物を設置するスペースがない場合に、薬剤成分放出装置１を、例えば、既存の街灯の支柱や樹木の幹などに固定して配置することができる。また、薬剤成分放出装置１を既存の街灯の支柱や樹木の幹に固定することができるので、薬剤成分放出装置１を設置するための基礎や支柱を新たに用意する必要が無くなる。従って、迅速に薬剤成分放出装置１を設置でき、設置のための費用も抑えることができる。さらに、薬剤成分放出装置１を稼働させない時期には（本実施形態では、蚊対策なので冬期など）、薬剤成分放出装置１を回収して倉庫等で保管できるので、薬剤成分放出装置１の破損や盗難、いたずら、風雨等による劣化を防ぐこともできる。
【００５３】
また、本実施形態に係る薬剤成分放出装置１では、照明手段８が点灯することにより、薬剤成分放出装置１の設置位置が認識しやすくなり、人を薬剤成分放出装置１の近くに集めることができる。そのため、薬剤成分放出装置１の近くに集まった人の虫刺されを防ぐことができる。
【００５４】
さらに、薬剤成分放出装置１は、バッテリ６（蓄電手段）と、ソーラーパネルからなるソーラーモジュール７（太陽光発電手段）と、を備えるので、薬剤成分放出装置１の外部の電気配線が省略可能になる。そのため、薬剤成分放出装置１の設置のための工期の短縮や施工コストの低減ができる。また、ソーラーモジュール７の太陽光発電による電力の利用によって、ランニングコストを削減できる。照明手段８の電力も太陽光発電で賄うことができれば、さらにランニングコストを削減できる。
【００５５】
なお、薬剤成分放出装置１を、樹木の幹や工作物の支柱等ではなく、樹木の枝や工作物の梁等のように横方向に伸びている物に固定すれば、送気方向の選択を上下方向から左右方向へと変更できる。
【００５６】
（第二実施形態）
第二実施形態では、薬剤成分放出装置１Ａが、屋外の公園等の歩道付近に単独で設置される場合を例示する（図３の（ａ）・（ｂ）及び図４参照）。以下、既に説明した構成は同じ符号を付してその説明を省略する。
薬剤成分放出装置１Ａは固定手段１０を有していない点及び薬剤成分放出装置１Ａが自立している点が薬剤成分放出装置１と大きく異なる。以下、相違点を中心に説明する。
【００５７】
薬剤保持部２と、タイマー５ｂと、明暗センサ５ｃと、バッテリ６と、ソーラーモジュール７との構成については、薬剤成分放出装置１と同じであるので説明は省略する。
【００５８】
図３の（ａ）及び（ｂ）に示すように、筺体９は、各種装置を収容する防水性の筐状部材であり、略円筒形状に形成されている。筺体９の表面（外面）には、複数の通気孔１１，１１と、明暗センサ５ｃと、ソーラーモジュール７とが設けられており、照明手段８が筺体９の上部から突出している。照明手段８が、筺体９の表面（外面）にあってもよい。
また、薬剤成分放出装置１Ａは、コンクリートブロックからなる基礎９１を備えている。基礎９１は、地中に埋設されている。筺体９の底部は、基礎９１の上面に固定されている。
【００５９】
複数の通気孔１１，１１は、筺体９の前面の上部（上部通気孔１１ａ）及び下部（下部通気孔１１ｃ）に設けられている。薬剤成分放出装置１Ａでは送気しない側の複数の通気孔１１が吸気孔の役割を果たすので、中央部には複数の通気孔１１は無くてよい。上部通気孔１１ａ及び下部通気孔１１ｃは、筺体９に形成された薬剤取替口１３を閉塞する蓋部材１３ａに設けられている。本実施形態では、薬剤取替口１３は、筺体９の前面に一箇所設けられているが、薬剤取替口１３の数を限定するものではない。また、複数の通気孔１１の数も限定されてはいない。
【００６０】
図４に示すように、筺体９は、薬剤保持部２、ファン３、電動モータ４、送気方向切替手段５、タイマー５ｂ、明暗センサ５ｃ、バッテリ６、ソーラーモジュール７及びダクト１４を内蔵している。ただし、バッテリ６とソーラーモジュール７とは備えていない場合がある。
【００６１】
筺体９の内部において、上部通気孔１１ａと下部通気孔１１ｃとは、通気路としてのダクト１４によって連通されている。ダクト１４は、略垂直方向に延びて両端部が上部通気孔１１ａ及び下部通気孔１１ｃに連通している。
【００６２】
ファン３（送気手段）は、上部通気孔１１ａから下部通気孔１１ｃに向かって、或いは逆に下部通気孔１１ｃから上部通気孔１１ａに向かって気体を送気する装置である。ファン３の回転方向によって、送気方向がいずれかに決定する。ファン３は、上部通気孔１１ａと下部通気孔１１ｃとを結ぶダクト１４の中間に設置されている。本実施形態ではファン３は一つであるが、揮散させた薬剤Ｄを含んだ気体をより遠くまで到達させるために、或いは、薬剤Ｄの成分の揮散をより促進させるために、複数のファン３を設けてもよい。
【００６３】
電動モータ４は、ファン３を回転させるために設けられているものである。電動モータ４は、歯車を介してファン３と連動している。ベルト等を介していてもよい。送気方向切替手段５により、電動モータ４の回転方向が反転するように制御され、ファン３の回転が逆回転し、送気方向を反転させることができる。
【００６４】
送気方向切替手段５は、薬剤成分放出装置１同様にファン３で発生させる風向を制御するために設けられていて、いわゆる制御用のコンピュータで構成されている。薬剤成分放出装置１Ａにおける送気方向切替手段５は、ファン３の回転を逆回転させることで風向を逆方向に切替えて風向の制御をするものである点において、薬剤成分放出装置１の送気方向切替手段５とは異なっている。
薬剤成分放出装置１Ａでは、タイマー５ｂ又は明暗センサ５ｃからの情報に基づいて、記憶装置に記憶された電動モータ４の回転方向と時刻情報又は明暗情報とが関連付けられた相関テーブルを参照して、送気方向切替手段５は、ファン３の回転方向を判定する。現在のファン３の回転方向と判定した方向とが異なる場合に、ファン３の回転方向を反転するように電動モータ４を制御する。なお、薬剤成分放出装置１Ａにダンパ５ａは設置されていない。
【００６５】
薬剤成分放出装置１Ａは、筺体９の下部が地中に埋設されているので、必要な電気配線を地中に埋設すれば、薬剤成分放出装置１Ａは、バッテリ６（蓄電手段）と、ソーラーモジュール７（太陽光発電手段）とを備えていなくてもよい。バッテリ６と、ソーラーモジュール７とを備えていなければ、薬剤成分放出装置１Ａは小型化できる。
【００６６】
薬剤成分放出装置１Ａは、自立しているので、被固定対象物に固定するための固定手段１０を備えていない。
【００６７】
薬剤成分放出装置１Ａは、自立しており、固定手段１０を有さないので、パッキン１２も備えていない。
【００６８】
薬剤取替口１３は、本実施形態では、筺体９の前面に１箇所である。蓋部材１３ａの筺体９内部側には、薬剤Ｄを保持する薬剤保持部２が２箇所ある。薬剤取替口１３から、蓋部材１３ａをはずして裏返すと、薬剤Ｄが交換できる。薬剤取替口１３から蓋部材１３ａを取り外すと、２つの薬剤Ｄの交換を一度ででき、ダクト１４の点検等も行いやすい。なお、薬剤取替口１３の数は１つに限定されるものではない。
【００６９】
ダクト１４は、一方の複数の通気孔１１から取り入れた外気を、ファン３の風によって他方の複数の通気孔１１に送るための通路である。ダクト１４は、薬剤成分放出装置１のダクト１４のようには分岐しておらず、薬剤成分放出装置１Ａの上部通気孔１１ａから下部通気孔１１ｃまで一直線に配置されている。屈曲部が無いので、メンテナンスが行いやすく、使用時の不具合は起こりにくい。
【００７０】
本実施形態に係る薬剤成分放出装置１Ａは、送気方向切替手段５は、ファン３の回転方向を反転させることにより、ファン３の送気方向を切り替えるので、ダクト１４の構造を簡略化でき、薬剤成分放出装置１Ａの小型化やコストダウンが可能になる。
被固定対象物に取り付ける薬剤成分放出装置１は、配置場所が被固定対象物のある位置に限定されるが、自立している薬剤成分放出装置１Ａは、任意の位置に配置可能である。
【００７１】
また、コンパクトにする必要性の高い固定手段取付型の薬剤成分放出装置１に比べて、自立型の薬剤成分放出装置１Ａは、スペースの制約が比較的少ないので、通気孔１１の高低差を大きくしやすい。さらに、通気孔１１の位置を比較的自由に変更したり通気孔１１の個数を増やしたりするのが容易である。
【００７２】
（第三実施形態）
図５〜図７を参照して本発明の第三実施形態に係る薬剤成分放出装置を説明する。
第三実施形態では、図５に示すように、薬剤成分放出装置１Ｂが、室内等に単独で配置される場合を例示する。薬剤成分放出装置１Ｂは、携帯式の害虫防除装置Ｓ（図６参照）を筺体９Ｂの裏面側に配置された蓋部材１６Ｂに装着し、裏面側から外気を吸入して正面側の通気孔１１から薬剤ＤＢ（図７参照）の成分を含有する外気（気体）を排気する点で、第一実施形態と異なる。以下、相違点を中心に説明する。
なお、図６に示す送気方向切替手段５と、バッテリ６と、ソーラーモジュール７と、照明手段８と、通気孔１１と、庇２０の構成は、第一実施形態の薬剤成分放出装置１（図２（ａ）参照）と同じであるので説明を省略する。
【００７３】
筺体９Ｂの裏面中央部には、吸気口１６Ｂａを有する蓋部材１６Ｂを着脱自在に係合させるための薬剤取替口９Ｂａが形成されている（図５参照）。図６及び図７に示すように、薬剤取替口９Ｂａの開口縁内の上側には、蓋部材１６Ｂの係止片１６Ｂｂを着脱可能に係止する係止部９Ｂｂが形成されている。また、薬剤取替口９Ｂａの開口縁内の下側左右には、蓋部材１６Ｂの突出片１６Ｂｃを着脱可能に係止する左右一対の係止孔９Ｂｃが形成されている。
【００７４】
図６に示すように、ダクト１４Ｂ内の蓋部材１６Ｂが配置される側（裏面側）には、小型の害虫防除装置Ｓと、害虫防除装置Ｓを着脱自在に収容する装置収容部１６Ｂｄと、を配置するための設置空間９Ｂｄが形成されている。その設置空間９Ｂｄの上下には、ダクト１４Ｂの合流部１４Ｂｂを介して上部ダクト１４Ｂａ及び下部ダクト１４Ｂｃに連通する上側薬剤成分風導ダクト１４Ｂｄ及び下側薬剤成分風導ダクト１４Ｂｅが形成されている。
【００７５】
通気孔１１は、第一及び第二実施形態と同様に、筺体９Ｂの前面の上部に配置された上部通気孔１１ａと、その下部に配置された下部通気孔１１ｃと、からなる。上部通気孔１１ａ及び下部通気孔１１ｃは、筺体９Ｂのダクト吐出口１３Ｂに着脱自在に設けられた吐出口用蓋部材１３Ｂａに形成してもよいし、筺体９Ｂに一体形成してもよい。
その吐出口用蓋部材１３Ｂａは、薬剤保持部２（図２（ａ）参照）を備えていない点で第一実施形態の蓋部材１３ａと相違している。
【００７６】
図７に示すように、蓋部材１６Ｂは、矩形の板状の蓋部材本体１６Ｂｆと、この蓋部材本体１６Ｂｆに形成された吸気口１６Ｂａ、係止片１６Ｂｂ、突出片１６Ｂｃ、装置収容部１６Ｂｄ、及び、スイッチ挿入孔１６Ｂｅと、を主に有してなる。
【００７７】
吸気口１６Ｂａは、外気を取り入れるための孔であり、例えば、多数の長孔からなる。この吸気口１６Ｂａは、略角筒状の装置収容部１６Ｂｄに挿入された害虫防除装置Ｓの吸入口４０ａの裏面側に配置されている。
係止片１６Ｂｂは、側面視して略Ｖ字状（略Ｕ字状）に形成された弾性片である。係止片１６Ｂｂには、係止部９Ｂｂに係止する係止爪部１６Ｂｇが形成されている。
突出片１６Ｂｃは、蓋部材本体１６Ｂｆの下端部から下方向に突出した一対の平板片からなる。
【００７８】
装置収容部１６Ｂｄは、上端部に害虫防除装置Ｓを挿入するための出入口１６Ｂｈを有し、下端部に害虫防除装置Ｓを載置する棚部１６Ｂｉ、及び、害虫防除装置Ｓの下側吐出口４０ｃに連通する吹出口１６Ｂｊを有している。
スイッチ挿入孔１６Ｂｅは、害虫防除装置Ｓのユニットケース４０から突出して配置されたスイッチ４１のノブを、蓋部材１６Ｂの裏面側（外側）からスライド操作可能にするために、そのノブを遊挿する孔である。
【００７９】
害虫防除装置Ｓは、電動モータ４３によりファン４４を回転させることで吸入した外気を、カートリッジ５０のネット状部材５２を通過させて、薬剤ＤＢの成分を含ませ、上側吐出口４０ｂ及び下側吐出口４０ｃから吐出する装置であればよい（図６参照）。害虫防除装置Ｓは、例えば、市販の電子式の携帯用の小型装置を用いてもよいし、専用品でもよい。
【００８０】
その一例を詳述する。図６または図７に示すように、害虫防除装置Ｓは、カートリッジ５０をユニットケース４０のカートリッジ挿入穴４０ｄに装着し、ユニットケース４０の吸入口４０ａ側を裏面側に向けて、蓋部材１６Ｂの装置収容部１６Ｂｄ内に収容して使用する装置である。害虫防除装置Ｓは、複数のケース体を組み付けてなるユニットケース４０と、前記スイッチ４１と、ユニットケース４０内に設けられた乾電池４２、電動モータ４３、及び、ファン４４と、を備えている。
【００８１】
図７に示すように、ユニットケース４０は、裏側に吸入口４０ａ及びスイッチノブ配置孔４０ｅを有し、前側にフック４０ｇを有し、上側に上側吐出口４０ｂ、カートリッジ挿入穴４０ｄ及び薬剤保持部４０ｆを有し、下側に下側吐出口４０ｃを有している。
【００８２】
吸入口４０ａは、外気をユニットケース４０内に吸入するための開口部であり、多数のスリットからなる。
上側吐出口４０ｂ及び下側吐出口４０ｃは、ファン４４によって害虫防除装置Ｓ内に吸入されて、カートリッジ５０のネット状部材５２を通過することで薬剤成分を含んだ外気を、吐出する吹き出し口である。
カートリッジ挿入穴４０ｄは、カートリッジ５０をユニットケース４０内に挿入したり、引き出したりするための出入り口である。
【００８３】
薬剤保持部４０ｆは、カートリッジ挿入穴４０ｄからユニットケース４０内に挿入されたカートリッジ５０のカートリッジ枠体５１を保持する部位である。
フック４０ｇ（図６参照）は、図７に示すように、略角筒状の装置収容部１６Ｂｄに掛止されて、害虫防除装置Ｓを蓋部材１６Ｂの係止させるための鉤状の掛止片である。
【００８４】
スイッチ４１は、ファン駆動用の電動モータ４３をオン、オフさせる開閉器である。
図６に示す電動モータ４３に駆動電力を供給する乾電池４２は、ソーラーモジュール７の電力で充電可能にしてもよい。
ファン４４は、外気を吸入口４０ａ（図７参照）から吸入して上側吐出口４０ｂ及び下側吐出口４０ｃを介して通気孔１１に送り出すための送気手段である。
【００８５】
カートリッジ５０は、交換自在の市販製品を用いてもよいし、専用品でもよい。例えば、カートリッジ５０は、略車輪形状の樹脂製のカートリッジ枠体５１と、害虫防除成分を有する薬剤ＤＢを含有するネット状部材５２と、から主に構成されている。カートリッジ５０は、カートリッジ挿入穴４０ｄからユニットケース４０内に挿入して、吸入口４０ａとファン４４との間の空間に配置し、薬剤保持部４０ｆで支持した状態で使用される。なお、カートリッジ５０は、害虫防除装置Ｓに着脱可能であればよく、形状及び薬剤ＤＢの種類等は適宜変更してもよい。
【００８６】
カートリッジ枠体５１は、枠部５１ａと、枠部５１ａの中央に形成された円板状の中央部５１ｂと、中央部５１ｂから枠部５１ａに向かって放射状に形成されたスポーク部５１ｃと、カートリッジ挿入穴４０ｄの開口縁に係止する係止凸部５１ｄと、を有する。
ネット状部材５２は、枠部５１ａと中央部５１ｂとスポーク部５１ｃとの間に張設されて、吸入口４０ａから入った外気が通過する通気性を有する網部材からなる。
【００８７】
このように、図６に示す薬剤成分放出装置１Ｂは、スイッチ４１、乾電池４２、電動モータ４３、ファン４４、カートリッジ５０（図７参照）、及び、薬剤保持部４０ｆを備えた害虫防除装置Ｓのユニットケース４０を筺体９Ｂ内に着脱自在に配置している。このため、薬剤成分放出装置１Ｂは、害虫  防除装置Ｓの設置スペースと、蓋部材１６Ｂと、ダクト１４Ｂと、通気孔１１と、を筺体９Ｂに設けて、小型の携帯用の害虫防除装置Ｓを筺体９Ｂに内設可能にするだけで、薬剤成分を放出可能にする。その結果、薬剤成分放出装置１Ｂは、その構造を簡素化して、コンパクトにすることができる。
【００８８】
このように構成された薬剤成分放出装置１Ｂは、スイッチ４１を操作すると、害虫防除装置Ｓのファン４４が回転する。ファン４４の回転で、吸気口１６Ｂａから吸入口４０ａを介して害虫防除装置Ｓ内に吸入された外気は、カートリッジ５０のネット状部材５２を通過することで、外気中に薬剤成分が含まれる。その外気は、上側吐出口４０ｂ、上側薬剤成分風導ダクト１４Ｂｄ、及び、下側吐出口４０ｃ、下側薬剤成分風導ダクト１４Ｂｅを介して、上部ダクト１４Ｂａまたは下部ダクト１４Ｂｃを通って通気孔１１から薬剤成分放出装置１Ｂ外に放出されて、害虫を防除する。
【００８９】
なお、薬剤成分放出装置１Ｂは、同じ害虫防除装置Ｓを筐体９Ｂ内に複数設けてもよい。このように構成すれば、薬剤成分放出装置１Ｂ内に設けた複数のファン４４及び電動モータ４３によって風力を増して、防除力をパワーアップさせることができる。
【００９０】
（第四実施形態）
図８〜図１０を参照して本発明の第四実施形態に係る薬剤成分放出装置を説明する。
図９に示す薬剤成分放出装置１Ｃは、カートリッジ式の薬剤ＤＢを筺体９Ｃの裏面側に設けた蓋部材１６Ｃに装着し、蓋部材１６Ｃの吸気口１６Ｃａから外気を吸入して正面側の通気孔１１から薬剤ＤＢの成分を含む外気を放出する点で、第一実施形態と異なる。以下、相違点を中心に説明する。
なお、ファン３と、送気方向切替手段５と、バッテリ６と、ソーラーモジュール７と、照明手段８と、通気孔１１と、庇２０の構成は、第一実施形態の薬剤成分放出装置１（図２参照）と同じであるので、その説明を省略する。
【００９１】
図８に示すように、筺体９Ｃの裏面中央部には、蓋部材１６Ｃを着脱自在に係合させるための薬剤取替口９Ｃａが形成されている。薬剤取替口９Ｃａの上方及び下方位置の筺体９Ｂの正面側には、上部通気孔１１ａと、下部通気孔１１ｃと、が設置されている。
図９に示す筺体９Ｃ内のダクト１４Ｃは、裏面側開口端に形成された薬剤取替口９Ｃａと、蓋部材１６Ｃの吸気口１６Ｃａの内側に形成された薬剤成分風導ダクト１４Ｃｄと、分岐部１５ｂと、上部ダクト１４Ｃａ及び下部ダクト１４Ｃｃと、を有している。
【００９２】
薬剤成分風導ダクト１４Ｃｄには、吸気口１６Ｃａから吸入されて、蓋部材１６Ｃの薬剤保持部１６Ｃｄに装着されたカートリッジ５０のネット状部材５２を通過し、薬剤成分を含んだ外気が流れる。薬剤成分風導ダクト１４Ｃｄを通過した外気は、分岐部１５ｂを介して、上部ダクト１４Ｃａまたは下部ダクト１４Ｃｃから大気中に放出されて、害虫を防除する。
図１０に示すように、第三実施形態と同一製品のカートリッジ５０は、蓋部材１６Ｃに一体形成された略角筒状の薬剤保持部１６Ｃｄに着脱自在に挿入される。
【００９３】
蓋部材１６Ｃは、平板状の蓋部材本体１６Ｃｆと、蓋部材本体１６Ｃｆに形成された吸気口１６Ｃａ、係止片１６Ｃｂ、突出片１６Ｃｃ、薬剤保持部１６Ｃｄ、薬剤係止部１６Ｃｇ、出入口１６Ｃｈ、吹出口１６Ｃｊ、及び、係合孔１６Ｃｉと、を有している。
吸気口１６Ｃａは、第三実施形態の吸気口１６Ｂａと同様に、多数の長孔からなる。
蓋部材１６Ｃの左右の側面に形成された係止片１６Ｃｂ及び突出片１６Ｃｃは、薬剤取替口９Ｃａの開口縁の左右内壁に形成された係止部９Ｃｂ及び係止孔９Ｃｃに着脱自在に装着されている。
【００９４】
薬剤保持部１６Ｃｄは、上端部にカートリッジ５０を出し入れするための出入口１６Ｃｈを有し、出入口１６Ｃｈの開口縁の左右に薬剤係止部１６Ｃｇを有し、下端部にカートリッジ５０の係合凸部５１ｅを挿入するための係合孔１６Ｃｉを有している。
図９に示すように、電動モータ４は、薬剤成分風導ダクト１４Ｃｄの内壁と電動モータ４との間に架設した複数のモータ支持部９Ｃｄによって保持されている。そのモータ支持部９Ｃｄには、電動モータ４とバッテリ６とを接続するコードが配線されている。
【００９５】
このように構成された薬剤成分放出装置１Ｃは、ファン３を回転させると、外気が、裏面側の吸気口１６Ｃａから吸入されてカートリッジ５０のネット状部材５２を通過することで、外気中に薬剤成分が含まれる。裏側から吸入した外気は、薬剤成分放出装置１Ｃの前側の通気孔１１から薬剤成分放出装置１Ｂ外に放出されるので、外気の流れがスムーズである。このため、薬剤成分放出装置１Ｃは、ファン３及び電動モータ４をコンパクトにすることを可能にすると共に、ダクト１４Ｃの簡素化を図ることができる。
また、薬剤成分放出装置１Ｃは、裏面側に設けた一つの蓋部材１６Ｃに一つのカートリッジ５０を配置してなるので、第一実施形態の薬剤Ｄの数を半減させることができる。
【００９６】
以上、本発明は前記第一〜第四実施形態に限定されるものではなく、本発明の趣旨を逸脱しない範囲で適宜変更が可能である。薬剤成分放出装置１，１Ａ，１Ｂ，１Ｃは、前記実施形態に限定されるものではなく、他の構成の薬剤成分放出装置であってもよい。
【符号の説明】
【００９７】
１，１Ａ，１Ｂ，１Ｃ  薬剤成分放出装置
２，１６Ｃｄ，４０ｆ  薬剤保持部
３，４４  ファン（送気手段）
４，４３  電動モータ
５      送気方向切替手段
５ａ    ダンパ（連通状態切替手段）
５ｂ    タイマー
５ｃ    明暗センサ
６      バッテリ（蓄電手段）
７      ソーラーモジュール（太陽光発電手段）
８      照明手段
９，９Ｂ，９Ｃ  筺体
９Ｂａ，９Ｃａ，１３  薬剤取替口
１０    固定手段
１１    複数の通気孔
１１ａ  上部通気孔
１１ｃ  下部通気孔
１３ａ，１６Ｂ，１６Ｃ  蓋部材
１４，１４Ｂ，１４Ｃ  ダクト
４０    ユニットケース
Ｓ      害虫防除装置
Ｄ，ＤＢ  薬剤
【図１】
2017073380.tif 000003
【図２】
2017073380.tif 000004
【図３】
2017073380.tif 000005
【図４】
2017073380.tif 000006
【図５】
2017073380.tif 000007
【図６】
2017073380.tif 000008
【図７】
2017073380.tif 000009
【図８】
2017073380.tif 000010
【図９】
2017073380.tif 000011
【図１０】
2017073380.tif 000012
【国際調査報告】
2017073380.tif 000013
2017073380.tif 000014
2017073380.tif 000015
2017073380.tif 000016